(57)【要約】【課題】後付けで容易に柱部材を設けることができる屋外構造物及び該屋外構造物における柱部材の取付方法を提供する。【解決手段】屋外構造物１０は、桁部材２０と枠部材１８とで屋根材２２を支持した屋根体１２を有し、屋根体１２に柱部材である正面柱部材７０を取り付けた構成において、正面柱部材７０を桁部材２０に対して連結するブラケット７４を備える。ブラケット７４は、正面柱部材７０の中空部７０ａに挿入されて正面柱部材７０の側壁７０ｂと締結される第１板部８４と、第１板部８４から屈曲され、中空部７０ａの開口部８１を通過して桁部材２０の下面２０ｃと締結される第２板部８５とを有する。【選択図】図１１
2018135638.tif 000002
【特許請求の範囲】
【請求項１】
桁部材と枠部材とで屋根材を支持した屋根体を有し、該屋根体に柱部材を取り付けた屋外構造物であって、
前記柱部材を前記桁部材又は前記枠部材に対して連結するブラケットを備え、
前記ブラケットは、前記柱部材の中空部に挿入されて該柱部材の側壁と締結される第１板部と、
前記第１板部から屈曲され、前記中空部の開口部を通過して前記桁部材又は前記枠部材の下面と締結される第２板部とを有することを特徴とする屋外構造物。
【請求項２】
請求項１に記載の屋外構造物において、
前記ブラケットは、１本の前記柱部材に対して２個１組で用いられ、
前記柱部材の互いに対向する一対の側壁と、前記桁部材又は前記枠部材の下面との間を連結することを特徴とする屋外構造物。
【請求項３】
請求項１又は２に記載の屋外構造物において、
前記柱部材は、断面矩形状を有して中央に前記中空部が設けられ、
前記柱部材の上端部には、前記桁部材又は前記枠部材の長手方向に沿って並んで互いに対向する一対の側壁を切り欠いて形成した一対の前記開口部と、前記互いに対向する一対の側壁と直交する方向に並んで一対の前記開口部を間に挟んだ一対の突出片とが設けられており、
前記柱部材は、一対の前記開口部に前記桁部材又は前記枠部材が配置されると共に、前記一対の突出片間に前記桁部材又は前記枠部材が挟まれた状態で、前記ブラケットを介して前記桁部材又は前記枠部材に連結されていることを特徴とする屋外構造物。
【請求項４】
請求項１又は２に記載の屋外構造物において、
前記柱部材は、前記中空部の上端小口が前記開口部となり、
前記柱部材は、前記開口部が前記桁部材又は前記枠部材の前記下面に対向配置された状態で、前記ブラケットを介して前記桁部材又は前記枠部材に連結されていることを特徴とする屋外構造物。
【請求項５】
桁部材と枠部材とで屋根材を支持した屋外構造物の前記桁部材又は前記枠部材に対する柱部材の取付方法であって、
第１板部と該第１板部から屈曲された第２板部とを有するブラケットの前記第１板部を前記柱部材の上端小口から該柱部材の中空部へと挿入し、該第１板部と該柱部材の側壁とを締結する第１工程と、
前記上端小口を通過した前記第２板部を前記桁部材又は前記枠部材の下面と締結する第２工程と、
を有することを特徴とする柱部材の取付方法。
【請求項６】
請求項５に記載の柱部材の取付方法において、
前記柱部材は、断面矩形状を有して中央に前記中空部が設けられ、
前記柱部材の上端部には、前記桁部材又は前記枠部材の長手方向に沿って並んで互いに対向する一対の側壁を切り欠いて形成した一対の開口部と、前記互いに対向する一対の側壁と直交する方向に並んで前記一対の開口部を間に挟んだ一対の突出片とが設けられており、
前記ブラケットは、１本の前記柱部材に対して２個１組で用いられるものであり、
前記第１工程では、一方の前記ブラケットの前記第１板部を前記柱部材の側壁と締結し、
前記第１工程の後であって前記第２工程の前に、前記一対の開口部に前記桁部材又は前記枠部材を配置することで、前記一対の突出片の間に前記桁部材又は前記枠部材を挟む工程を実行し、
前記第２工程では、前記第１板部を前記側壁と締結した一方の前記ブラケットの前記第２板部を前記桁部材又は前記枠部材の下面と締結し、
前記第２工程の後に、他方の前記ブラケットの前記第１板部を前記開口部から前記中空部に挿入してから該ブラケットを回転させ、前記第１板部を前記柱部材の側壁の内面に当接させて締結する第３工程を実行し、
前記第３工程の後に、他方の前記ブラケットの前記第２板部を前記桁部材又は前記枠部材の下面と締結する第４工程を実行することを特徴とする柱部材の取付方法。
【請求項７】
桁部材と枠部材とで屋根材を支持した屋外構造物の前記桁部材又は前記枠部材に対する柱部材の取付方法であって、
第１板部と該第１板部から屈曲された第２板部とを有するブラケットの前記第２板部を前記桁部材又は前記枠部材の下面と締結する第１工程と、
前記第１板部を前記柱部材の上端小口を通過させて前記柱部材の中空部へと挿入し、該第１板部と該柱部材の側壁とを締結する第２工程と、
を有することを特徴とする柱部材の取付方法。
【発明の詳細な説明】
【技術分野】
【０００１】
本発明は、建物の玄関前等に設置される屋外構造物及び該屋外構造物における柱部材の取付方法に関する。
【背景技術】
【０００２】
例えば住宅等の玄関では、玄関ドアを開ける際に住人が玄関前で降水や降雪に晒されることがある。そこで特許文献１には、住宅の玄関前に設置される玄関庇が開示されている。
【先行技術文献】
【特許文献】
【０００３】
【特許文献１】特開２０１５−１４０５２７号公報
【発明の概要】
【発明が解決しようとする課題】
【０００４】
上記特許文献１の玄関庇は、建物の外壁から水平方向に突出するように取付固定された片持ち構造となっている。このため、豪雪地域等では積雪時の強度が不足する可能性がある。また、リフォーム時等に玄関庇の下に化粧パネルや目隠しパネルを後付けで設置したいという要望もある。
【０００５】
そこで、柱部材を後付けで設置することで、玄関庇の強度を確保し、パネルの後付けにも対応することが考えられる。ところが、柱部材は屋根材を支持する桁部材や枠部材と地面との間に隙間なく直立支持する必要があり、後付けでの施工は難しい。
【０００６】
本発明は、上記従来技術の課題を考慮してなされたものであり、後付けで容易に柱部材を設けることができる屋外構造物及び該屋外構造物における柱部材の取付方法を提供することを目的とする。
【課題を解決するための手段】
【０００７】
本発明に係る屋外構造物は、桁部材と枠部材とで屋根材を支持した屋根体を有し、該屋根体に柱部材を取り付けた屋外構造物であって、前記柱部材を前記桁部材又は前記枠部材に対して連結するブラケットを備え、前記ブラケットは、前記柱部材の中空部に挿入されて該柱部材の側壁と締結される第１板部と、前記第１板部から屈曲され、前記中空部の開口部を通過して前記桁部材又は前記枠部材の下面と締結される第２板部とを有することを特徴とする。
【０００８】
このような構成によれば、ブラケットを介して桁部材又は枠部材に対して柱部材を容易に取付固定できる。このため、例えば積雪等に対する耐荷重や耐震に対する強度を向上させる必要が生じた場合に、柱部材を追加柱部材として容易に後付けで施工することができる。また、追加した柱部材を利用して目隠し用や装飾用のスクリーンのような機能部品を容易に後付けで追加できる。
【０００９】
本発明に係る屋外構造物において、前記ブラケットは、１本の前記柱部材に対して２個１組で用いられ、前記柱部材の互いに対向する一対の側壁と、前記桁部材又は前記枠部材の下面との間を連結する構成であってもよい。そうすると、柱部材をより強固に且つ安定して設置することができる。
【００１０】
本発明に係る屋外構造物において、前記柱部材は、断面矩形状を有して中央に前記中空部が設けられ、前記柱部材の上端部には、前記桁部材又は前記枠部材の長手方向に沿って並んで互いに対向する一対の側壁を切り欠いて形成した一対の前記開口部と、前記互いに対向する一対の側壁と直交する方向に並んで一対の前記開口部を間に挟んだ一対の突出片とが設けられており、前記柱部材は、一対の前記開口部に前記桁部材又は前記枠部材が配置されると共に、前記一対の突出片間に前記桁部材又は前記枠部材が挟まれた状態で、前記ブラケットを介して前記桁部材又は前記枠部材に連結された構成であってもよい。そうすると、柱部材を桁部材又は枠部材に対して容易に後付けで施工でき、しかも高い連結強度で安定して連結できる。
【００１１】
本発明に係る屋外構造物において、前記柱部材は、前記中空部の上端小口が前記開口部となり、前記柱部材は、前記開口部が前記桁部材又は前記枠部材の前記下面に対向配置された状態で、前記ブラケットを介して前記桁部材又は前記枠部材に連結された構成であってもよい。そうすると、柱部材を桁部材又は枠部材に対して容易に後付けで施工でき、しかも高い連結強度で安定して連結できる。
【００１２】
本発明に係る柱部材の取付方法は、桁部材と枠部材とで屋根材を支持した屋外構造物の前記桁部材又は前記枠部材に対する柱部材の取付方法であって、第１板部と該第１板部から屈曲された第２板部とを有するブラケットの前記第１板部を前記柱部材の上端小口から該柱部材の中空部へと挿入し、該第１板部と該柱部材の側壁とを締結する第１工程と、前記上端小口を通過した前記第２板部を前記桁部材又は前記枠部材の下面と締結する第２工程とを有することを特徴とする。
【００１３】
このような方法によれば、第１板部を柱部材の中空部に挿入して側壁と締結し、第２板部を桁部材又は柱部材の下面に締結するため、ブラケットを用いて桁部材又は枠部材に対して柱部材を取付固定する。このため、柱部材を追加柱部材として容易に後付けで施工することができる。
【００１４】
本発明に係る柱部材の取付方法において、前記柱部材は、断面矩形状を有して中央に前記中空部が設けられ、前記柱部材の上端部には、前記桁部材又は前記枠部材の長手方向に沿って並んで互いに対向する一対の側壁を切り欠いて形成した一対の開口部と、前記互いに対向する一対の側壁と直交する方向に並んで前記一対の開口部を間に挟んだ一対の突出片とが設けられており、前記ブラケットは、１本の前記柱部材に対して２個１組で用いられるものであり、前記第１工程では、一方の前記ブラケットの前記第１板部を前記柱部材の側壁と締結し、前記第１工程の後であって前記第２工程の前に、前記一対の開口部に前記桁部材又は前記枠部材を配置することで、前記一対の突出片の間に前記桁部材又は前記枠部材を挟む工程を実行し、前記第２工程では、前記第１板部を前記側壁と締結した一方の前記ブラケットの前記第２板部を前記桁部材又は前記枠部材の下面と締結し、前記第２工程の後に、他方の前記ブラケットの前記第１板部を前記開口部から前記中空部に挿入してから該ブラケットを回転させ、前記第１板部を前記柱部材の側壁の内面に当接させて締結する第３工程を実行し、前記第３工程の後に、他方の前記ブラケットの前記第２板部を前記桁部材又は前記枠部材の下面と締結する第４工程を実行してもよい。そうすると、２個１組のブラケットを用いて柱部材を桁部材又は枠部材に対して容易に後付けで施工できる。
【００１５】
本発明に係る柱部材の取付方法は、桁部材と枠部材とで屋根材を支持した屋外構造物の前記桁部材又は前記枠部材に対する柱部材の取付方法であって、第１板部と該第１板部から屈曲された第２板部とを有するブラケットの前記第２板部を前記桁部材又は前記枠部材の下面と締結する第１工程と、前記第１板部を前記柱部材の上端小口を通過させて前記柱部材の中空部へと挿入し、該第１板部と該柱部材の側壁とを締結する第２工程とを有することを特徴とする。
【００１６】
このような方法によれば、第２板部を桁部材又は柱部材の下面に締結し、第１板部を柱部材の中空部に挿入して側壁と締結するため、ブラケットを用いて桁部材又は枠部材に対して柱部材を取付固定する。このため、柱部材を追加柱部材として容易に後付けで施工することができる。
【発明の効果】
【００１７】
本発明によれば、ブラケットを用いることで柱部材を追加柱部材として容易に後付けで施工することができる。
【図面の簡単な説明】
【００１８】
【図１】図１は、本発明の一実施形態に係る屋外構造物の正面図である。
【図２】図２は、図１に示す屋外構造物の側面断面図である。
【図３】図３は、図１に示す屋外構造物の一部を下から見上げた状態を示す斜視図である。
【図４】図４は、柱部材と桁部材の連結構造を示す側面断面図である。
【図５】図５は、桁部材を省略した状態で柱部材の上端部付近の構造を示した斜視図である。
【図６】図６は、柱部材と桁部材の連結部を下から見上げた斜視図である。
【図７】図７は、柱部材と桁部材の連結部を側方から見た斜視図である。
【図８】図８は、屋根体の桁部材より後側部分の左側端部を拡大した正面断面図である。
【図９】図９は、柱部材付近の屋根体の端部を拡大した一部断面斜視図である。
【図１０】図１０は、図１に示す屋外構造物の前側にスクリーンを設置した構成例を示す正面図である。
【図１１】図１１は、桁部材に設置した正面柱部材の上端部付近を拡大した正面図である。
【図１２】図１２は、桁部材に設置した正面柱部材の上端部付近を拡大した側面断面図である。
【図１３Ａ】図１３Ａは、一方のブラケットを取り付けた正面柱部材を桁部材の所定位置に配置する動作を説明する正面図である。
【図１３Ｂ】図１３Ｂは、図１３Ａに示す正面柱部材を桁部材に連結し、他方のブラケットを取り付ける動作を説明する正面図である。
【図１３Ｃ】図１３Ｃは、図１３Ｂに示す他方のブラケットを回転させる動作を説明する正面図である。
【図１４】図１４は、側部天井材に設置した側面柱部材の上端部付近を拡大した正面断面図である。
【図１５】図１５は、側部天井材に設置した側面柱部材の上端部付近を拡大した側面断面図である。
【図１６】図１６は、側部天井材に設置した側面柱部材の上端部付近を拡大した側面断面図である。
【図１７Ａ】図１７Ａは、側部天井材にブラケットの第２板部を取り付けた状態を示す側面図である。
【図１７Ｂ】図１７Ｂは、図１７Ａに示す状態からブラケットの第１板部に側面柱部材を取り付ける動作を示す側面図である。
【発明を実施するための形態】
【００１９】
１．屋外構造物の全体構成の説明
図１は、本発明の一実施形態に係る屋外構造物１０の正面図である。図２は、図１に示す屋外構造物１０の側面断面図である。図３は、図１に示す屋外構造物１０の一部を下から見上げた状態を示す斜視図である。本実施形態では、住宅や店舗等の建物の玄関前の上部に設置される玄関庇としての屋外構造物１０を例示する。
【００２０】
以下、玄関庇である屋外構造物１０に対して人が玄関に進入する方向を正面とし、屋外構造物１０を正面から見て手前側を前、奥側を後、上方を上、下方を下、左方を左、右方を右、と呼んで説明する。また各図においては、前後方向を矢印Ｚで示し、上下方向を矢印Ｙで示し、左右方向を矢印Ｘで示す。
【００２１】
図１〜図３に示すように、屋外構造物１０は、屋根体１２と、左右一対の柱部材１４，１４とを備える。
【００２２】
屋根体１２は、天井１６を設けた軒天構造であり、枠部材１８と、桁部材２０と、屋根材２２と、天井材２４とを有する。屋根体１２は、後側から前側に向かって次第に下方に傾斜した前下がり構造である。
【００２３】
枠部材１８は、左右方向に延びた前側の前枠１８ａ及び後側の垂木掛け１８ｂと、前後方向に延びた左側の側枠１８ｃ及び右側の側枠１８ｄとを四周枠組みした構成である。各枠１８ａ〜１８ｄは、アルミニウム等の金属の押出形材である。前枠１８ａ及び左右の側枠１８ｃ，１８ｄの外面には、帯板状のパネル材である化粧材２５が装着されている。化粧材２５は屋根体１２の前側面及び左右側面の３面を覆うものであり、屋根体１２の外観品質を向上するものである。枠部材１８は、垂木掛け１８ｂが取付ねじ２６を用いて建物の外壁２７に連結される（図２参照）。つまり垂木掛け１８ｂは当該屋外構造物１０を建物の外壁２７に取付固定する取付部として機能する。
【００２４】
桁部材２０は、左右方向に延在する断面略矩形状の角柱部材である。桁部材２０は、枠部材１８の内側で前寄りの位置に設けられ、左右の柱部材１４，１４間を連結して枠部材１８を支持している。桁部材２０、前枠１８ａ及び垂木掛け１８ｂの上面には、前後方向に沿って延びた複数の垂木２８が支持される。各垂木２８は、枠部材１８及び桁部材２０の上面上で左右方向に並んで固定される。
【００２５】
屋根材２２は、樹脂や金属等の薄板で形成されて前後方向に延びたパネルである。屋根材２２は、前枠１８ａ、垂木掛け１８ｂ、側枠１８ｃ，１８ｄ及び垂木２８に支持され、左右方向に複数並設されることで屋根体１２の上面を覆っている。
【００２６】
天井１６は、屋根材２２の下方に設けられた軒天である。天井１６は、天井材２４と、側部天井材３０とで構成されている。天井材（軒天材）２４は、樹脂や金属等の薄板で形成されて前後方向に延びたパネルである。天井１６の大部分は天井材２４によって構成されている。天井材２４は、左右の柱部材１４，１４間に亘って左右方向に複数並設されると共に、桁部材２０を挟んで前後方向に２列設けられている。側部天井材３０は、柱部材１４との干渉を考慮して天井材２４を設置できない部分、具体的には天井１６の左右側縁部を構成するものである。側部天井材３０は、当該屋外構造物１０を前側から見た正面視で、左右の柱部材１４に重なる位置に設けられ、天井材２４の側端部と連続している。側部天井材３０は、左右の側枠１８ｃ，１８ｄと連結され、左右両端の天井材２４とも連結されるアタッチメント部材である。換言すれば、側部天井材３０は、側枠１８ｃ，１８ｄと一体に連結されることで枠部材１８の一部を構成する。
【００２７】
柱部材１４は、断面略矩形状に構成されて上下に延びた角柱部材である。柱部材１４は、下端部が地面３２に固定され、上端部が桁部材２０と連結されることで、屋根体１２を支持する支柱である。
【００２８】
２．柱部材と桁部材の連結構造の説明
次に、柱部材１４と桁部材２０の具体的な連結構造を説明する。図４は、柱部材１４と桁部材２０の連結構造を示す側面断面図である。図５は、桁部材２０を省略した状態で柱部材１４の上端部付近の構造を示した斜視図である。図６は、柱部材１４と桁部材２０の連結部３８を下から見上げた斜視図である。図７は、柱部材１４と桁部材２０の連結部３８を側方から見た斜視図である。なお、左側の柱部材１４と桁部材２０の左端部との連結構造と、右側の柱部材１４と桁部材２０の右端部との連結構造とは左右対称構造である以外は同一の構造である。このため、以下では左側の柱部材１４と桁部材２０との連結構造と、右側の柱部材１４と桁部材２０との連結構造とを特別に特定しないで説明する。
【００２９】
図３、図６及び図７に示すように、柱部材１４と桁部材２０とは、柱部材１４の上端部に桁部材２０の端部が飲み込まれた構造、つまり柱勝ち構造で連結される。
【００３０】
図５に示すように、柱部材１４は、その内側面１４ａ（例えば左側の柱部材１４の場合は右側面）の上部に切欠部３４を有する。切欠部３４は、桁部材２０の端部を挿入可能であると共に、挿入した状態でほとんど隙間を生じない形状とされる（図３参照）。柱部材１４は、切欠部３４を設けた内側面１４ａ以外の３側面にそれぞれ一対の連結孔１４ｂ，１４ｂが貫通形成されている（図４及び図７参照）。桁部材２０は、左右端部の各側面における柱部材１４の連結孔１４ｂ，１４ｂと対応する位置に連結孔２０ａが貫通形成されている。
【００３１】
そこで、柱部材１４の切欠部３４に桁部材２０の端部を挿入した状態で、各連結孔１４ｂ，２０ａを通して連結ねじ３５を締め付ける。これにより柱部材１４と桁部材２０とが締結固定される（図４参照）。本実施形態では、各連結孔１４ｂ，２０ａに対応する位置にねじ穴が形成された裏板部材３６を桁部材２０の端部の中空部内に挿入している（図４参照）。裏板部材３６は、桁部材２０の中空部をその長手方向に直交する平面で蓋するように配置される中板と、中板の前後端部から屈曲し、桁部材２０の前後内面に対面配置される前板及び後板とを有し、これら中板、前板及び後板に前記ねじ穴が形成されている。そして、連結ねじ３５は、この裏板部材３６のねじ穴に締め付ける構造としている。勿論、桁部材２０の連結孔２０ａをねじ穴で形成し、或いは桁部材２０の内面に別途ナットを設けてもよい。なお、図２中の参照符号３７は、裏板部材３６を構成する前記中板の下端部から屈曲した板片を桁部材２０の下内面に固定するためのねじである。
【００３２】
連結孔１４ｂ，２０ａ及び連結ねじ３５による締結部は、柱部材１４と桁部材２０の連結部３８を構成する。本実施形態の場合、連結部３８は、図４に示すように天井材２４の上方、具体的には天井材２４と屋根材２２との間となる高さ位置に位置している。つまり連結部３８は、天井材２４と屋根材２２との間に形成された天井裏空間Ｓに位置し、外部から視認できない配置である（図３参照）。
【００３３】
３．排水構造の説明
次に、当該屋外構造物１０が降雨等を受けた場合の排水構造を説明する。
【００３４】
図１に示すように、屋外構造物１０は、左側の柱部材１４に沿って設けられ、屋根材２２からの雨水等を排水する排水管（雨樋）４０を備える。図２に示すように、排水管４０の上端部は、前枠１８ａの左端部に連結された前枠樋部に連結されたドレイン４２と連結されている。ドレイン４２は、屋根材２２上を前側に滑って前枠１８ａに落下した雨水等を集めて排水管４０へと流通させるためのロートとして機能する。排水管４０は、左右の柱部材１４，１４のそれぞれに沿って一対配設されてもよく、この場合はドレイン４２を前枠１８ａの左右両端に設けるとよい。
【００３５】
排水管４０は、上端部ががドレイン４２の下端面に連結され、天井材２４と屋根材２２との間の天井裏空間Ｓを通って柱部材１４の前側面に到達する。排水管４０は、柱部材１４の前側面に沿って下方に垂下された後、下端部が地面３２付近で開口して排水口４０ａを形成している。本実施形態では、柱部材１４の前側面に排水管４０の周囲を覆い隠す排水管カバー４３を装着している。このため、排水管４０はその下端部の排水口４０ａ付近のみが外部に露出し、他の部分は全て隠された取付構造となっている。本実施形態では左右の柱部材１４，１４のそれぞれに排水管カバー４３を装着し、左右の柱部材１４，１４間の外観品質を確保している。
【００３６】
屋外構造物１０は、天井材２４での結露水の排水構造を有する。
【００３７】
図２及び図４に示すように、柱部材１４の後側面には、略Ｌ字形状の受け部材４４が取付固定されている。受け部材４４は、桁部材２０の後側の天井材２４の前端部を載置可能な樋形状に構成されている。受け部材４４は、左右の柱部材１４，１４間に亘って延在している。天井材２４は、屋根材２２と略平行に前下がりに設置されている。このため、桁部材２０の後側の天井材２４の表面（下面）に発生した結露水は、天井材２４の表面を前方に伝い流れて受け部材４４へと落下し、左右の柱部材１４を伝って地面３２へと排水される。
【００３８】
図２に示すように、桁部材２０より前側の天井材２４は、前端部が前枠１８ａに取付固定された前枠アタッチメント４６に載置されている。前枠アタッチメント４６は、受け部材４４と同様に左右方向に延在する樋形状を有する押出形材である。このため、桁部材２０の前側の天井材２４に発生した結露水は、前枠アタッチメント４６を流れて該前枠アタッチメント４６の左右端部と化粧材２５との間の隙間から外部に排水される。
【００３９】
４．天井構造の説明
次に、天井１６の具体的な構成を説明する。図８は、屋根体１２の桁部材２０より後側部分の左側端部を拡大した正面断面図である。図９は、柱部材１４付近の屋根体１２の端部を拡大した一部断面斜視図である。
【００４０】
天井１６は、その天井面が天井材２４の表面（下面）と側部天井材３０の表面（下面）とで構成され、枠部材１８の内側開口の下側を覆っている。側部天井材３０は、天井材２４と並んで配置されて天井１６の天井面の一部を形成する天井板部３０ａを有する。
【００４１】
図２、図８及び図９に示すように、天井材２４は、左右方向に複数並列され、互いの隣接する側端部同士が嵌合されている。左右方向に並んだ各垂木２８の下面には、左右方向に延在した支持部材５０が前後方向に適宜間隔で複数取付固定されている。天井材２４は、支持部材５０を介して垂木２８の下方に吊り下げ状態で取り付けられる。
【００４２】
支持部材５０は、例えばアルミニウム等の金属製の押出形材である。支持部材５０は、上端側の上取付部５１と、下端側の下取付部５２と、上取付部５１と下取付部５２との間を繋ぐ板状のブリッジ部５３とを有する。
【００４３】
上取付部５１は、取付ねじ５４を用いて垂木２８の下面に締結固定される（図４参照）。支持部材５０の左右端部では、上取付部５１は取付ねじ５４を用いて側枠１８ｃ，１８ｄの下面に締結固定される（図８参照）。
【００４４】
下取付部５２は、図４及び図７に示すように、下端面で開口した入口開口５２ａと、入口開口５２ａの上部に連通して設けられた裏板挿入部５２ｂと、裏板挿入部５２ｂの上部に連通して設けられたねじ螺入溝５２ｃとを有する。入口開口５２ａは、天井材２４を支持部材５０に対して締結固定するための取付ねじ５５のねじ部と、側部天井材３０を支持部材５０に対して締結固定するための取付ねじ５６のねじ部とを挿入可能な開口である。裏板挿入部５２ｂは、入口開口５２ａよりも幅広に拡幅された部分であり、支持部材５０の長手方向に沿って裏板５８を挿入保持可能な溝部である（図８参照）。裏板５８は、ねじ穴が形成された矩形の板状部材である。裏板５８には、側部天井材３０を固定するための取付ねじ５６が締結される。ねじ螺入溝５２ｃは、天井材２４を固定するための取付ねじ５５のねじ部を螺入可能な溝部である。取付ねじ５５は、ねじ螺入溝５２ｃの壁面を削りながら螺入されるタッピングねじである。
【００４５】
天井材２４は、その端部が取付ねじ５５を用いてねじ螺入溝５２ｃに締結され、これにより支持部材５０を介して垂木２８に吊下支持される（図４参照）。図９に示すように、天井材２４は、互いの隣接する側端部同士が重なり合う嵌合部において、上側に配置された天井材２４の取付片２４ａが取付ねじ５５を用いて下取付部５２のねじ螺入溝５２ｃと締結固定される。一方、図８に示すように、一方の端部に配置される天井材２４は、側部天井材３０との間の間隔を調整可能な折り線２４ｂを左右方向に複数並設した構造とされ、天井材２４全体での左右幅を容易に調整可能となっている。天井材２４の折り線２４ｂを設けた端部は、後述する連結部材６２を介して側部天井材３０とも締結固定される。
【００４６】
図２及び図４に示すように、桁部材２０より前側の天井材２４は、前端部が前枠アタッチメント４６に支持され、後端部が桁部材２０の取付溝２０ｂに支持される。取付溝２０ｂは、桁部材２０の前側面の長手方向に沿って形成された溝部であり、天井材２４の端部を挿入支持可能である。桁部材２０より後側の天井材２４は、前端部が受け部材４４に支持され、後端部が垂木掛けアタッチメント５９に支持される。垂木掛けアタッチメント５９は、垂木掛け１８ｂに取付固定されている。
【００４７】
側部天井材３０は、天井材２４側の端部に設けられた取付片３０ｄが取付ねじ５６を介して裏板挿入部５２ｂに挿入保持された裏板５８に締結される（図８参照）。これにより、側部天井材３０は支持部材５０を介して垂木２８に吊下支持される。
【００４８】
図８に示すように、側部天井材３０は、天井材２４側とは反対側の端部が連結ねじ５７を用いて側部アタッチメント６０と連結され、側部アタッチメント６０を介して側枠１８ｃ，１８ｄと連結固定される。このため、側部天井材３０は側枠１８ｃ，１８ｄに対して強固に固定される。側部アタッチメント６０は、略Ｌ字状の押出形材であり、その上部が側枠１８ｃ，１８ｄの下面に対して取付ねじ６３を用いて連結固定される。側部アタッチメント６０は、化粧材２５を支持する機能も有する。
【００４９】
図８に示すように、天井材２４の左右一方の端部は、支持部材５０ではなく側部天井材３０に対して連結部材６２を介して取付ねじ６１を用いて締結固定される。側部天井材３０の取付片３０ｄには、連結部材６２が取付ねじ５６で共締め固定され（図８参照）、この連結部材６２に対して天井材２４が取付ねじ６１によって締結される。また、図９に示すように、天井材２４の左右他方の端部は、側部天井材３０の取付片３０ｄに対して引っ掛けて連結される。連結部材６２や取付ねじ６１、天井材２４の取付片３０ｄに対する引っ掛け部が外観上に露出することを防止するため、側部天井材３０の端部には前後方向に延在するカバー部材６４が装着される（図８及び図９参照）。
【００５０】
図８に示すように、側部天井材３０の天井板部３０ａには、厚肉部３０ｂが形成されている。厚肉部３０ｂは、側部天井材３０の長手方向（前後方向）に延在しており、後述する側面柱部材７２（図１４参照）を取付固定するための部分である。
【００５１】
図２、図３及び図８に示すように、前及び左右の３面の化粧材２５は、側部天井材３０や前枠アタッチメント４６等のアタッチメント部材を介して天井材２４と連続している。このため、化粧材２５から天井材２４までが一体に構成され、屋外構造物１０の外観品質を高めている。
【００５２】
５．追加柱部材の説明
図１０は、図１に示す屋外構造物１０の前側にスクリーン６６を設置した構成例を示す正面図である。
【００５３】
図１０に示すように、本実施形態に係る屋外構造物１０は、天井１６と地面３２との間に目隠し用や装飾用のスクリーン６６を後付けで設置可能である。図１０では、スクリーン６６を屋外構造物１０の前側に左右方向に沿って設けた構成を図示しているが、スクリーン６６は屋外構造物１０の左右側面に前後方向に沿って設けることもできる。但し、これら前側及び左右側に設置されるスクリーン６６は屋根体１２と地面３２との間で強固に安定して支持される必要がある。
【００５４】
そこで、屋外構造物１０は、屋根体１２の前寄り位置の左右方向で任意位置に正面柱部材７０を追加可能であると共に（図１０参照）、屋根体１２の左右側部の前後方向で任意位置に側面柱部材７２を追加可能である（図１４及び図１５参照）。
【００５５】
５．１  正面柱部材７０の説明
先ず、正面柱部材７０の構成及び取付構造を説明する。図１１は、桁部材２０に設置した正面柱部材７０の上端部付近を拡大した正面図である。図１２は、桁部材２０に設置した正面柱部材７０の上端部付近を拡大した側面断面図である。
【００５６】
図１０〜図１２に示すように、正面柱部材７０は、上端部が桁部材２０とブラケット７４を介して連結され、下端部が地面３２に固定具７６を介して固定される。これにより、正面柱部材７０は桁部材２０と地面３２との間に立設される。図１０に示す構成例では、正面柱部材７０を左右の柱部材１４，１４間の中央に設置している。本実施形態では、左右の柱部材１４，１４間に亘る帯板状の桟７８を上下３段に設け、各桟７８の中央部を正面柱部材７０で支持している。そして、上下３段の桟７８に亘る格子７９を左右方向に複数並列させることで、スクリーン６６を構成している。格子７９に代えてパネルや面材等の各種目隠し材を用いてもよい。
【００５７】
図１１及び図１２に示すように、正面柱部材７０の上端部には、互いに対向する一対の突出片８０，８０と、これら突出片８０，８０間に挟まれて互いに対向する一対の開口部８１，８１が形成されている。
【００５８】
正面柱部材７０は、内側に中空部７０ａを設けて断面矩形状に構成され、上下に延びた角柱部材である。各開口部８１は、桁部材２０の長手方向である左右方向に沿って並んで互いに対向する正面柱部材７０の一対の側壁７０ｂ，７０ｂの上端部を矩形に切り欠いて形成したものである。各突出片８０は、正面柱部材７０の前後方向に並んで互いに対向する一対の側壁７０ｃ，７０ｃの上端部が板状に突出した部分である。このため、一対の突出片８０，８０は、その間に一対の開口部８１，８１を挟むように配置されている。
【００５９】
正面柱部材７０は、一対の開口部８１，８１間に桁部材２０の下面２０ｃ側を飲み込んだ状態で配置される。これにより、正面柱部材７０は一対の突出片８０，８０間に桁部材２０の前後側面を挟持した状態で配置される。
【００６０】
ブラケット７４は、正面柱部材７０を桁部材２０に連結するための部品であり、左右一対用いている。左右のブラケット７４は、互いに左右対称構造である以外は同一構造である。このため、以下では左側のブラケット７４と右側のブラケット７４とを特別に特定しないで説明する。
【００６１】
図１１及び図１２に示すように、ブラケット７４は、側面視Ｌ字形状の板状部材であり、正面柱部材７０の前後方向幅よりも多少小さい幅寸法を有する。ブラケット７４は、正面柱部材７０と締結される第１板部８４と、桁部材２０と締結される第２板部８５とを有する。
【００６２】
第１板部８４は、正面柱部材７０の長手方向である上下方向に沿って配置される部分である。第１板部８４には、ねじ孔８４ａが形成されている。第１板部８４は、正面柱部材７０の中空部７０ａに挿入され、側壁７０ｂの貫通孔を挿通した取付ねじ８６がねじ孔８４ａに螺合される。これにより、第１板部８４は側壁７０ｂの内面側に締結固定される。
【００６３】
第２板部８５は、第１板部８４から略直角方向に屈曲され、桁部材２０の長手方向である左右方向に沿って配置される部分である。第２板部８５には、貫通孔８５ａが形成されている。第２板部８５は、開口部８１から正面柱部材７０の外部へと延在し、桁部材２０の下面２０ｃに対面配置される。第２板部８５の貫通孔８５ａを挿通した取付ねじ８８が桁部材２０の下面２０ｃを形成する壁部に形成されたねじ穴に螺合される。これにより、第２板部８５は下面２０ｃに締結固定される。
【００６４】
このように、ブラケット７４は正面柱部材７０の側壁７０ｂと桁部材２０の下面２０ｃとの間を連結固定する。この際、第１板部８４は正面柱部材７０の中空部７０ａ内に配置されて外部から視認できず、正面柱部材７０の外面には取付ねじ８６のみが露出する。このため、ブラケット７４が外観上で目立つことを抑制でき、正面柱部材７０を固定した状態での屋外構造物１０の外観品質が確保される。また、ブラケット７４が正面柱部材７０の連結用の裏板機能を兼ねるため、部材点数を削減できる。
【００６５】
次に、正面柱部材７０の取付方法を説明する。図１３Ａ〜図１３Ｃは、ブラケット７４を用いた正面柱部材７０の桁部材２０への連結手順を説明する動作図である。
【００６６】
図１３Ａ〜図１３Ｃに示すように、正面柱部材７０の取付方法は、一方のブラケット７４の第１板部８４を中空部７０ａに挿入して側壁７０ｂと締結する第１工程と、中空部７０ａの上端小口から開口部８１を介して外部に延在した第２板部８５を桁部材２０の下面２０ｃに締結する第２工程とを有する。なお、本実施形態ではブラケット７４を２個１組で用いる。このため、他方のブラケット７４の第１板部８４を正面柱部材７０と締結する第３工程と、第２板部８５を桁部材２０と締結する第４工程とをさらに有する。但し、正面柱部材７０の大きさ等によってはブラケット７４は１個のみで用いてもよく、この場合は第３工程及び第４工程が省略される。
【００６７】
具体的には、先ず第１工程では、図１３Ａに示すように一方の開口部８１を通して一方のブラケット７４の第１板部８４を中空部７０ａに挿入し、この第１板部８４を取付ねじ８６を用いて一方の側壁７０ｂの内面に締結する。
【００６８】
続いて、この第１工程の後であって第２工程の前に、一方のブラケット７４を取り付けた正面柱部材７０を桁部材２０に位置決め配置する位置決め工程を実施する（図１３Ｂ参照）。この位置決め工程では、正面柱部材７０の一対の開口部８１，８１に桁部材２０を長手方向に通過させた状態で挿入配置し、一対の突出片８０，８０間に桁部材２０を挟持する。この際、開口部８１の下縁面と桁部材２０の下面２０ｃとの間には、ブラケット７４の第２板部８５の厚み分の隙間が設けられる。
【００６９】
次に、第２工程を実行し、正面柱部材７０に第１板部８４を締結してある一方のブラケット７４の第２板部８５を取付ねじ８８を用いて桁部材２０の下面２０ｃに締結する（図１３Ｂ参照）。この第２板部８５と桁部材２０との締結は、取付ねじ８８を完全には締め付けない仮固定としておくとよい。
【００７０】
第３工程では、先ず、第１工程及び第２工程で連結した一方のブラケット７４側とは反対側の開口部８１と桁部材２０の下面２０ｃとの隙間に他方のブラケット７４の第１板部８４を挿入する（図１３Ｂ参照）。次いで、この他方のブラケット７４を略９０度回転させ、第１板部８４を他方の側壁７０ｂの内面に当接配置する（図１３Ｃ参照）。そこで、この他方のブラケット７４の第１板部８４を取付ねじ８６を用いて他方の側壁７０ｂの内面に締結する（図１１及び図１２参照）。
【００７１】
第４工程では、他方のブラケット７４の第２板部８５を取付ねじ８８を用いて桁部材２０の下面２０ｃに締結する（図１１及び図１２参照）。この第２板部８５と桁部材２０との締結についても、取付ねじ８８を完全には締め付けない仮固定としておくとよい。
【００７２】
最終的には、正面柱部材７０の下端部を固定具７６を用いて地面３２に固定すると共に、第２工程及び第４工程で仮固定しておいた各ブラケット７４の第２板部８５を桁部材２０に締め付ける本固定を行う。その結果、正面柱部材７０の設置作業が完了する。このように当該屋外構造物１０は、正面柱部材７０を容易に後付けで設置することができ、正面にスクリーン６６を容易に後付けで設置できる。
【００７３】
５．２  側面柱部材の説明
次に、側面柱部材７２の構成及び取付構造を説明する。図１４は、側部天井材３０に設置した側面柱部材７２の上端部付近を拡大した正面断面図である。図１５は、側部天井材３０に設置した側面柱部材７２の上端部付近を拡大した側面断面図である。
【００７４】
図１４及び図１５に示すように、側面柱部材７２は、上端部が側部天井材３０とブラケット９０を介して連結され、これにより枠部材１８と連結される。側面柱部材７２の下端部は、図１０に示す正面柱部材７０を固定する固定具７６と同様な固定具を介して地面３２に固定される。これにより、側面柱部材７２は側部天井材３０と地面３２との間に立設される。図１０に示す構成例と略同様に、側面柱部材７２と建物の外壁２７との間には桟７８と同様な桟が上下複数段設けられ、各桟を用いてスクリーン６６と同様なスクリーンを支持できる。
【００７５】
側面柱部材７２は、内側に中空部７２ａを設けて断面矩形状に構成され、上下に延びた角柱部材である。中空部７２ａの上端小口は、矩形の開口部９１となっている。側面柱部材７２は、開口部９１を側部天井材３０の天井板部３０ａに設けられた厚肉部３０ｂの下面に対向させた状態で配置される。
【００７６】
ブラケット９０は、側面柱部材７２を側部天井材３０の天井板部３０ａに連結するための部品であり、前後一対用いている。前後のブラケット９０は、屈曲角度、つまり第２板部８５の前後方向の勾配が異なる以外は前後対称構造である。このため、以下では前側のブラケット９０と後側のブラケット９０とを特別に特定しないで説明する。
【００７７】
図１４及び図１５に示すように、ブラケット９０は、ブラケット７４と略同一構造を有する側面視Ｌ字形状の板状部材であり、側面柱部材７２の左右方向幅よりも多少小さい幅寸法を有する。ブラケット９０は、側面柱部材７２と締結される第１板部８４と、側部天井材３０と締結される第２板部８５とを有する。ブラケット９０について、ブラケット７４と同一又は同様の構成要素については同一の参照符号を付して詳細な説明を省略する。
【００７８】
ブラケット９０は、側面柱部材７２の前後方向に沿って並んで互いに対向する一対の側壁７２ｂ，７２ｂと側部天井材３０の天井板部３０ａの下面との間を連結固定する。具体的には、第１板部８４は、側面柱部材７２の中空部７２ａに挿入され、取付ねじ８６を用いて側壁７２ｂの内面側に締結固定される。第２板部８５は、開口部９１から側面柱部材７２の外部へと延在し、側部天井材３０の天井板部３０ａの下面に対面配置されると共に、取付ねじ８８を用いて天井板部３０ａの下面と締結固定される。
【００７９】
この際、第１板部８４は側面柱部材７２の中空部７２ａ内に配置されて外部から視認できず、側面柱部材７２の外面には取付ねじ８６のみが露出する。このため、ブラケット９０が外観上で目立つことを抑制でき、側面柱部材７２を固定した状態での屋外構造物１０の外観品質が確保される。
【００８０】
しかも天井板部３０ａは、図１４に示すように側枠１８ｃ，１８ｄ（及び側部アタッチメント６０）に連結された化粧材２５の下端面２５ａと、側部天井材３０と天井材２４との連続部分の隙間を隠すカバー部材６４の下端面６４ａとに挟まれた位置で、これら下端面２５ａ，６４ａよりも一段上方に位置している。換言すれば、側面柱部材７２を固定する天井板部３０ａの下面が、周囲の部材よりも一段凹んだ位置に設けられている。このため、ブラケット９０の第２板部８５を締結する取付ねじ８８や側面柱部材７２の上端小口の切断面等が隠され、屋外構造物１０の外観品質が一層高まる。また、ブラケット９０が側面柱部材７２の連結用の裏板機能を兼ねるため、部材点数を削減でき、後述するブラケット９２でも同様な効果が得られる。
【００８１】
次に、側面柱部材７２の取付方法を説明する。
【００８２】
図１４及び図１５に示すように、側面柱部材７２の取付方法は、各ブラケット９０の第１板部８４を中空部７２ａに挿入して側壁７２ｂと締結する第１工程と、中空部７２ａの上端小口となる開口部９１を介して外部に延在した第２板部８５を側部天井材３０の天井板部３０ａの下面に締結する第２工程とを有する。側面柱部材７２の大きさ等によってはブラケット９０は１個のみで用いてもよい。
【００８３】
具体的には、先ず第１工程では、開口部９１を通して各ブラケット９０の第１板部８４を側面柱部材７２の中空部７２ａに挿入し、各第１板部８４を取付ねじ８６を用いて各側壁７２ｂの内面に締結する。これにより、側面柱部材７２の開口部９１から各ブラケット９０の第２板部８５が飛び出した状態となる。
【００８４】
次に、第２工程を実行し、側面柱部材７２に第１板部８４を締結済みの各ブラケット９０の第２板部８５を取付ねじ８８を用いて側部天井材３０の天井板部３０ａの下面に締結する。この際、側部天井材３０の天井板部３０ａには、他の部分よりも板厚の厚い厚肉部３０ｂが設けられている。このため、この厚肉部３０ｂに取付ねじ８８を螺合させるねじ孔３０ｃを容易に形成できる。また、厚肉部３０ｂに側面柱部材７２が締結されるため、側面柱部材７２を高い締結強度で固定できる。なお、この第２板部８５と桁部材２０との締結は、取付ねじ８８を完全には締め付けない仮固定としておくとよい。
【００８５】
最終的には、側面柱部材７２の下端部を固定具を用いて地面３２に固定すると共に、第２工程で仮固定しておいた各ブラケット９０の第２板部８５を側部天井材３０に締め付ける本固定を行う。その結果、側面柱部材７２の設置作業が完了する。このように当該屋外構造物１０は、側面柱部材７２を容易に後付けで設置することができ、側面にもスクリーンを容易に後付けで設置できる。
【００８６】
５．３  側面柱部材の変形例に係る取付構造説明
次に、側面柱部材７２の変形例に係る取付構造を説明する。図１６は、側部天井材３０に設置した側面柱部材７２の上端部付近を拡大した側面断面図である。
【００８７】
図１６に示すように、側面柱部材７２は、ブラケット９０とは構成の異なるブラケット９２を用いてその上端部を側部天井材３０に連結することもできる。
【００８８】
ブラケット９２は、側面柱部材７２を側部天井材３０の天井板部３０ａに連結するための部品である。ブラケット９２は、側面柱部材７２と締結される前後一対の第１板部８４，８４と、側部天井材３０と締結される第２板部９５とを有する。ブラケット９２について、ブラケット９０と同一又は同様の構成要素については同一の参照符号を付して詳細な説明を省略する。ブラケット９２は、前後一対の第１板部８４，８４の上端部間を第２板部９５で繋いだ側面視略Ｕ字状の板状部材である。
【００８９】
次に、ブラケット９２を用いた側面柱部材７２の取付方法を説明する。図１７Ａ及び図１７Ｂは、ブラケット９２を用いた側面柱部材７２の側部天井材３０への連結手順を説明する動作図である。
【００９０】
図１６〜図１７Ｂに示すように、この場合の側面柱部材７２の取付方法は、ブラケット９２の第２板部９５を側部天井材３０の天井板部３０ａの下面に締結する第１工程と、各第１板部８４を側面柱部材７２の中空部７２ａに挿入して側壁７２ｂと締結する第２工程とを有する。側面柱部材７２の大きさ等によっては第１板部８４は１個のみ設けてもよい。
【００９１】
具体的には、先ず第１工程では、図１７Ａに示すようにブラケット９２の第２板部９５を側部天井材３０の天井板部３０ａの下面に当接配置し、取付ねじ８８を用いて締結する。
【００９２】
次に第２工程において、図１７Ｂに示すように天井板部３０ａの下面から垂下された状態となった各第１板部８４に対し、開口部９１を通して側面柱部材７２の中空部７２ａを外挿する。そして、側面柱部材７２の側壁７２ｂに形成された貫通孔７２ｃを通して取付ねじ８６を第１板部８４のねじ孔８４ａに螺合させる。これにより各第１板部８４が各側壁７２ｂの内面に締結される。なお、この第１板部８４と側面柱部材７２との締結は、取付ねじ８６を完全には締め付けない仮固定としておくとよい。
【００９３】
最終的には、側面柱部材７２の下端部を固定具を用いて地面３２に固定すると共に、第２工程で仮固定しておいた各ブラケット９２の第１板部８４を側部天井材３０に締め付ける本固定を行う。その結果、ブラケット９２を用いた側面柱部材７２の設置作業が完了する。このように当該屋外構造物１０は、構成の異なるブラケット９２を用いても側面柱部材７２を容易に後付けで設置することができ、側面にもスクリーンを容易に後付けで設置できる。
【００９４】
６．屋外構造物の作用効果の説明
本実施形態に係る屋外構造物１０は、桁部材２０と枠部材１８とで屋根材２２を支持した屋根体１２を柱部材１４で支持した構成である。屋根体１２は、屋根材２２の下方に配置され、桁部材２０と枠部材１８とで支持された天井材２４を備える。柱部材１４は、その内側面１４ａの上部に切欠部３４を有する。桁部材２０は、その端部が柱部材１４の切欠部３４に挿入された状態で柱部材１４と連結されると共に、桁部材２０と柱部材１４との連結部３８が天井材２４の上方に位置している。
【００９５】
このように、屋外構造物１０は屋根体１２を柱部材１４で支持した構成である。このため、耐荷重や耐震に対する強度が向上し、例えば積雪時に強度不足を生じることを防止できる。また屋根体１２を柱部材１４で支持するため、例えば屋根体１２と建物の外壁２７との間の取付強度を比較的抑えることができ、建物のリフォーム時等に容易に後付けで施工することができる。しかも屋外構造物１０では、柱部材１４と桁部材２０との連結部３８を天井材２４の上方に配置している。このため、この連結部３８が天井材２４に隠されて外観上に露出せず、高い外観品質を確保できる。
【００９６】
当該屋外構造物１０では、天井材２４は一対の柱部材１４，１４の互いに対向する内側面１４ａの間となる位置に設けられる一方、天井材２４の側部における一対の柱部材１４，１４に対応する位置には、枠部材１８と連結されて天井材２４の側端部に連続する側部天井材３０が設けられている。すなわち、当該屋外構造物１０は桁部材２０の端部に柱部材１４を設けた構造のため、この柱部材１４に重なる位置に天井材２４を設置することが難しい。そこで、この柱部材１４に重なる位置には枠部材１８の側枠１８ｃ，１８ｄとアタッチメントされる側部天井材３０を設けることで、天井１６の天井面を屋根体１２の一面に形成し、外観品質を向上できる。
【００９７】
側部天井材３０は、枠部材１８に対して連結され、天井材２４と並んで配置されて当該屋外構造物１０の天井面の一部を形成する天井板部３０ａを有し、天井板部３０ａは、一対の柱部材１４，１４とは別の柱部材である側面柱部材７２を取付固定可能な厚肉部３０ｂを有する。これにより、施工済みの屋外構造物１０に対し、例えば図１４〜図１７Ｂに示すように後付けで側面柱部材７２を容易に追加できる。その結果、屋根体１２の支持強度を容易に向上させることができると共に、スクリーン６６のような機能部品を容易に後付けで追加できる。
【００９８】
当該屋外構造物１０は、屋根材２２の表面に連通する排水管４０を備え、排水管４０は、天井材２４と屋根材２２との間に通されている。これにより、排水管４０が外部から視認できない天井裏空間Ｓに隠されるため、排水管４０によって外観品質が損なわれることを防止できる。
【００９９】
本実施形態に係る屋外構造物１０は、桁部材２０と枠部材１８とで屋根材２２を支持した屋根体１２を有し、屋根体１２に柱部材である正面柱部材７０（側面柱部材７２）を取り付けた構成において、正面柱部材７０（側面柱部材７２）を桁部材２０（枠部材１８）に対して連結するブラケット７４（９０，９２）を備える。ブラケット７４（９０，９２）は、正面柱部材７０（側面柱部材７２）の中空部７０ａ（７２ａ）に挿入されて正面柱部材７０（側面柱部材７２）の側壁７０ｂ（７２ｂ）と締結される第１板部８４と、第１板部８４から屈曲され、中空部７０ａ（７２ａ）の開口部８１（９１）を通過して桁部材２０（枠部材１８）の下面と締結される第２板部８５（９５）とを有する。
【０１００】
このように、屋外構造物１０はブラケット７４（９０，９２）を介して桁部材２０（枠部材１８）に対して正面柱部材７０（側面柱部材７２）を容易に取付固定できる。このため、例えば積雪等に対する耐荷重や耐震に対する強度を向上させる必要が生じた場合に、正面柱部材７０（側面柱部材７２）を追加柱部材として容易に後付けで施工することができる。また、追加した正面柱部材７０（側面柱部材７２）を利用してスクリーン６６のような機能部品を容易に後付けで追加できる。なお、正面柱部材７０（側面柱部材７２）を設ける場合は、柱部材１４を省略してもよい。換言すれば、正面柱部材７０（側面柱部材７２）は柱部材１４を持たずに外壁２７に対して片持ち構造で取付固定された屋外構造物１０の強度向上にも有効に利用できる。
【０１０１】
正面柱部材７０の上端部には、桁部材２０の長手方向に沿って並んで互いに対向する一対の側壁７０ｂ，７０ｂを切り欠いて形成した一対の開口部８１，８１と、互いに対向する一対の側壁７０ｂ，７０ｂと直交する方向に並んで一対の開口部８１，８１を間に挟んだ一対の突出片８０，８０とが設けられている。そして、正面柱部材７０は、一対の開口部８１，８１に桁部材２０が配置されると共に、一対の突出片８０，８０間に桁部材２０が挟まれた状態で、ブラケット７４を介して桁部材２０に連結される。このため、正面柱部材７０は桁部材２０に対して容易に後付けで施工でき、しかも高い連結強度で安定して連結される。なお、正面柱部材７０は、例えば前枠１８ａやこれに連結された前枠アタッチメント４６に対し、桁部材２０の場合と同様に連結されてもよい。
【０１０２】
側面柱部材７２は、その上端開口である開口部９１が枠部材１８の一部を構成する側部天井材３０の下面に対向配置された状態で、ブラケット９０を介して側部天井材３０に連結される。このため、側面柱部材７２は枠部材１８（側部天井材３０）に対して容易に後付けで施工でき、しかも高い連結強度で安定して連結される。なお、側面柱部材７２は、例えば桁部材２０に対し、枠部材１８（側部天井材３０）の場合と同様に連結されてもよい。
【０１０３】
なお、本発明は、上記した実施形態に限定されるものではなく、本発明の主旨を逸脱しない範囲で自由に変更できることは勿論である。
【０１０４】
上記実施形態では、屋根体１２が建物の外壁２７に固定されると共に柱部材１４で支持された玄関庇の屋外構造物１０を例示した。しかしながら、本発明は他の屋外構造物、例えばテラス屋根の他、建物等と連結されない独立したカーポート等にも適用可能である。
【符号の説明】
【０１０５】
１０  屋外構造物、１２  屋根体、１４  柱部材、１４ａ  内側面、１６  天井、１８  枠部材、２０  桁部材、２２  屋根材、２４  天井材、２５  化粧材、２７  外壁、２８  垂木、３０  側部天井材、３０ａ  天井板部、３０ｂ  厚肉部、３４  切欠部、３８  連結部、４０  排水管、５０  支持部材、６６  スクリーン、７０  正面柱部材、７０ａ，７２ａ  中空部、７０ｂ，７０ｃ，７２ｂ  側壁、７２  側面柱部材、７４，９０，９２  ブラケット、８０  突出片、８１，９１  開口部、８４  第１板部、８５，９５  第２板部
【図１】
2018135638.tif 000003
【図２】
2018135638.tif 000004
【図３】
2018135638.tif 000005
【図４】
2018135638.tif 000006
【図５】
2018135638.tif 000007
【図６】
2018135638.tif 000008
【図７】
2018135638.tif 000009
【図８】
2018135638.tif 000010
【図９】
2018135638.tif 000011
【図１０】
2018135638.tif 000012
【図１１】
2018135638.tif 000013
【図１２】
2018135638.tif 000014
【図１３Ａ】
2018135638.tif 000015
【図１３Ｂ】
2018135638.tif 000016
【図１３Ｃ】
2018135638.tif 000017
【図１４】
2018135638.tif 000018
【図１５】
2018135638.tif 000019
【図１６】
2018135638.tif 000020
【図１７Ａ】
2018135638.tif 000021
【図１７Ｂ】
2018135638.tif 000022